(57)【要約】【課題】回線の復旧に要する時間を軽減することが可能な伝送装置、伝送システム及び伝送方法を提供する。【解決手段】本発明は、第１の伝送装置１００−２又は第２の伝送装置１００−３と伝送装置１００−１との接続状態の可否を検出する接続状態検出部１０４と、第１の伝送装置１００−２又は第２の伝送装置１００−３のうち、何れか一方の伝送装置と伝送装置１００−１との接続状態に関し、接続状態検出部１０４により接続されていない旨が検出された場合には、ＮＯ設定部１０３により設定された識別情報を何れか他方の伝送装置に送信する通信部１０１と、を具備する。【選択図】      図１
2015186159.tif 000002
【特許請求の範囲】
【請求項１】
一端が本体の外部に位置する第１の伝送装置に接続され、他端が前記本体の外部に位置する第２の伝送装置に接続され、前記第１又は第２の伝送装置を伝送させるデータと、前記本体を伝送させるデータと、を相互に変換する変換手段と、
前記本体を識別する識別情報を設定する識別情報設定手段と、
前記第１又は第２の伝送装置と前記本体との接続状態の可否を検出する接続状態検出手段と、
前記第１又は第２の伝送装置のうち、何れか一方の伝送装置と前記本体との接続状態に関し、前記接続状態検出手段により接続されていない旨が検出された場合には、前記識別情報設定手段により設定された前記識別情報を何れか他方の伝送装置に送信する送信手段と、を備える、
ことを特徴とする伝送装置。
【請求項２】
前記送信手段は、
前記第１の伝送装置における接続状態検出手段により、前記第１の伝送装置が他の伝送装置に接続されていない旨が検出され、前記第１の伝送装置における送信手段により前記本体に前記第１の伝送装置の識別情報が送信された場合には、送信された第１の伝送装置の識別情報を第２の伝送装置に送信する、
ことを特徴とする伝送装置。
【請求項３】
前記送信手段は、
前記第１又は前記第２の伝送装置と前記本体とが前記接続状態検出手段により接続されていない旨が検出された場合には、通信端末に、この通信端末に送信されるデータが無効である旨を通知する無効情報を送信すること、
を特徴とする請求項１又は２記載の伝送装置。
【請求項４】
前記送信手段により送信された前記識別情報を表示する表示手段をさらに備える、
ことを特徴とする請求項１乃至３の何れか一項に記載の伝送装置。
【請求項５】
直列的に接続された複数の伝送装置を備え、
複数の伝送装置の夫々は、
本体を識別する識別情報を設定する識別情報設定手段と、
前記本体と他の伝送装置との接続状態の可否を検出する接続状態検出手段と、
前記本体に接続された他の伝送装置のうち、何れか一方の伝送装置と前記本体との接続状態に関し、前記接続状態検出手段により接続されていない旨が検出された場合には、前記識別状態設定手段により設定された前記識別情報を何れか他方の伝送装置に送信する送信手段と、を備える、
ことを特徴とする伝送システム。
【請求項６】
本体を伝送させるデータと、前記本体の外部に位置する第１又は第２の伝送装置を伝送させるデータと、を相互に変換し、
前記本体を識別する識別情報を設定し、
前記本体と前記第１又は第２の伝送装置との接続状態の可否を検出し、
前記第１又は第２の伝送装置のうち、何れ一方の伝送装置と前記本体との接続状態に関し、接続状態が接続されていない旨を検出した場合には、前記識別情報を何れか他方の伝送装置に送信する、
ことを特徴とする伝送方法。
【発明の詳細な説明】
【技術分野】
【０００１】
本発明は、伝送装置、伝送システム及び伝送方法に関し、特に、デジタル回線を介してデータを伝送する伝送装置、伝送システム及び伝送方法に関する。
【背景技術】
【０００２】
従来、時分割方向制御方式（以下、ＴＣＭ（Ｔｉｍｅ  Ｃｏｍｐｒｅｓｓｉｏｎ  Ｍｕｌｔｉｐｌｅｘｉｎｇ）方式という。）を用いたデジタル回線を介してデータを伝送する伝送装置、伝送システム及び伝送方法が知られている。
【０００３】
この伝送装置、伝送システム及び伝送方法として、例えば、特許文献１には、ＮＴ＿ＩＮＦ変換部、Ｖ２４＿ＩＮＦ変換部、ＬＴ＿ＩＮＦ変換部を備えた伝送装置、伝送システム及び伝送方法が開示されている。
【０００４】
そして、特許文献１では、これらＮＴ＿ＩＮＦ変換部、Ｖ２４＿ＩＮＦ変換部、ＬＴ＿ＩＮＦ変換部を用いて、デジタル回線、通信端末に対応するデータに変換している。
【０００５】
また、上記特許文献１では、Ｖ２４＿ＩＮＦ変換部又はＬＴ＿ＩＮＦ変換部により変換されたデータの何れかを選択し、選択したデータをＮＴ＿ＩＮＦ変換部に送信することで、複数の伝送装置を用いてマルチポイント接続を可能にしている。
【０００６】
なお、ＮＴ＿ＩＮＦ（Ｎｅｔｗｏｒｋ  Ｔｅｒｍｉｎａｔｉｏｎ＿Ｉｎｔｅｒｆａｃｅ）変換部を示し、ＬＴ＿ＩＮＦ（Ｌｉｎｅ  Ｔｅｒｍｉｎａｔｉｏｎ＿Ｉｎｔｅｒｆａｃｅ）変換部を示している。
【先行技術文献】
【特許文献】
【０００７】
【特許文献１】特開２０１３−１６５３１６号公報
【発明の概要】
【発明が解決しようとする課題】
【０００８】
しかしながら、上記特許文献１は、回線に障害が発生した場合、障害が発生した回線に直に接続されていない伝送装置では、回線に障害が発生したことを把握できない可能性がある。
【０００９】
このため、上記特許文献１では、例えば、回線に障害が発生した箇所が無人である場合、原因調査のため、人員を派遣しなければならず、復旧に時間を要してしまうという技術的課題がある。
【００１０】
また、上記特許文献１では、障害を把握することが困難であると、障害を放置してしまう可能性があり、この点から鑑みても、回線の復旧に時間を要してしまうという技術的課題がある。
【００１１】
そこで、本発明の目的は、上記従来の実状に鑑みて、回線の復旧に要する時間を軽減することが可能な伝送装置、伝送システム及び伝送方法を提供することにある。
【課題を解決するための手段】
【００１２】
上記目的を達成するために、本発明に係る伝送装置は、一端が本体の外部に位置する第１の伝送装置に接続され、他端が上記本体の外部に位置する第２の伝送装置に接続され、上記第１又は第２の伝送装置を伝送させるデータと、上記本体を伝送させるデータと、を相互に変換する変換手段と、上記本体を識別する識別情報を設定する識別情報設定手段と、上記第１又は第２の伝送装置と上記本体との接続状態の可否を検出する接続状態検出手段と、上記第１又は第２の伝送装置のうち、何れか一方の伝送装置と上記本体との接続状態に関し、上記接続状態検出手段により接続されていない旨が検出された場合には、上記識別情報設定手段により設定された上記識別情報を何れか他方の伝送装置に送信する送信手段と、を具備する。
【００１３】
上記目的を達成するために、本発明に係る伝送システムは、直列的に接続された複数の伝送装置を備え、複数の伝送装置の夫々は、本体を識別する識別情報を設定する識別情報設定手段と、上記本体と他の伝送装置との接続状態の可否を検出する接続状態検出手段と、上記本体に接続された他の伝送装置のうち、何れか一方の伝送装置と上記本体との接続状態に関し、上記接続状態検出手段により接続されていない旨が検出された場合には、上記識別状態設定手段により設定された上記識別情報を何れか他方の伝送装置に送信する送信手段と、を備えて構成される。
【００１４】
上記目的を達成するために、本発明に係る伝送方法は、本体を伝送させるデータと、上記本体の外部に位置する第１又は第２の伝送装置を伝送させるデータと、を相互に変換し、上記本体を識別する識別情報を設定し、上記本体と上記第１又は第２の伝送装置との接続状態の可否を検出し、上記第１又は第２の伝送装置のうち、何れ一方の伝送装置と上記本体との接続状態に関し、接続状態が接続されていない旨を検出した場合には、上記識別情報を何れか他方の伝送装置に送信している。
【発明の効果】
【００１５】
本発明によれば、回線の復旧に要する時間を軽減することができる。
【図面の簡単な説明】
【００１６】
【図１】本発明の一実施形態（第１の実施形態）に係る伝送装置のブロック図である。
【図２】本発明の他の実施形態（第２の実施形態）に係る伝送装置のブロック図である。
【図３】本発明の他の実施形態（第２の実施形態）に係るＲＳ情報を送信データに付加した例を示す説明図である。
【図４】送信データセレクタ部の第１の状態を示す説明図である。
【図５】送信データセレクタ部の第２の状態を示す説明図である。
【図６】伝送装置を用いて構成される伝送システムの説明図である。
【図７】伝送装置を用いて構成される伝送システムにおける第１の状態の説明図である。
【図８】伝送装置を用いて構成される伝送システムにおける第２の状態の説明図である。
【図９】本発明の他の実施形態（第３の実施形態）に係る伝送装置のブロック図である。
【図１０】従来の伝送システムの説明図である。
【発明を実施するための形態】
【００１７】
以下、本発明を実施するための具体的な形態について、図面を用いて説明する。
【００１８】
（第１の実施形態）
図１を用いて、本発明の一実施形態に係る伝送装置１００−１の内部構成について説明する。図１は、本発明の一実施形態（第１の実施形態）に係る伝送装置１００−１のブロック図である。
【００１９】
図１に例示されるように、本実施形態の伝送装置１００−１は、変換部（変換手段）１０２を具備している。この変換部１０２は、通信部（送信手段）１０１を介して、一端が本体の外部に位置する他の伝送装置１００−２に接続され、他端が本体の外部に位置する他の伝送装置１００−３に接続されている。
【００２０】
そして、変換部１０２は、他の伝送装置１００−２又は他の伝送装置１００−３を伝送させるデータと、本体を伝送させるデータと、を相互に変換する役目を果たしている。
【００２１】
また、伝送装置１００−１は、本体を識別する識別情報を設定するＮＯ設定部（識別情報設定手段）１０３を具備している。
【００２２】
また、伝送装置１００−１は、他の伝送装置１００−２又は他の伝送装置１００−３と本体との接続状態の可否を検出する接続状態検出部（接続状態検出手段）１０４を具備している。
【００２３】
また、伝送装置１００−１は、通信部（送信手段）１０１を具備している。この通信部１０１は、ＮＯ設定部１０３により設定された識別情報を他の伝送装置１０１−２又は他の伝送装置１０１−３に送信する役目を果たしている。
【００２４】
一例を示すと、通信部１０１は、本体と他の伝送装置１００−２との接続状態に関し、接続状態検出部１０４により接続されていない旨が検出された場合には、識別情報を他の伝送装置１００−３に送信している。
【００２５】
これに対し、通信部１０１は、本体と他の伝送装置１００−３との接続状態に関し、接続状態検出部１０４により接続されていない旨が検出された場合には、識別情報を他の伝送装置１００−２に送信している。
【００２６】
すなわち、本実施形態では、本体と一方の伝送装置とが接続されていない場合には、他方の伝送装置に本体の識別情報を送信している。このため、本実施形態では、本体と一方の伝送装置とが接続されていない旨を他方の伝送装置にて把握させることが可能になる。
【００２７】
よって、本実施形態では、一方の伝送装置に直に接続されていない他方の伝送装置でも、本体と一方の伝送装置とが接続されていない旨を把握することが可能になるため、回線の復旧に要する時間を軽減することができる。
【００２８】
（第２の実施形態）
図２乃至図５を用いて、本発明の他の実施形態に係る伝送装置２００の内部構成について説明する。まず、図２を用いて、本発明の他の実施形態に係る伝送装置２００の内部構成について説明する。図２は、本発明の他の実施形態（第２の実施形態）に係る伝送装置２００のブロック図である。
【００２９】
図２に例示されるように、伝送装置２００は、ＴＣＭ（Ｔｉｍｅ  Ｃｏｍｐｒｅｓｓｉｏｎ  Ｍｕｌｔｉｐｌｅｘｉｎｇ）方式を終端し、Ｖ２４インタフェースを有する通信端末に接続される。
【００３０】
以下、Ｖ２４インタフェースを、Ｖ２４＿ＩＮＦ（Ｉｎｔｅｒｆａｃｅ）と記し、Ｖ２４インタフェースを有する通信端末を、Ｖ２４＿ＩＮＦ（Ｉｎｔｅｒｆａｃｅ）端末と記す。また、データの送信元に対して、Ｖ２４＿ＩＮＦ端末から送信される接続要求の有無を示す信号をＲＳ（Ｒｅｑｕｅｓｔ  ｔｏ  Ｓｅｎｄ）情報と記す。
【００３１】
ここで、ＲＳ情報に「オン」を示す値が設定されている場合、そのＲＳ情報は、接続を要求していることを示す。これに対し、ＲＳ情報に「オフ」を示す値が設定されている場合、そのＲＳ情報は、接続を要求していないことを示す。
【００３２】
本実施形態において、伝送装置２００は、ＮＴ＿ＩＮＦ（Ｎｅｔｗｏｒｋ  Ｔｅｒｍｉｎａｔｉｏｎ＿Ｉｎｔｅｒｆａｃｅ）２０１を具備している。このＮＴ＿ＩＮＦ２０１は、ＴＣＭ方式を用いたデジタル回線に接続され、ＮＴ側フレームフォーマットでＴＣＭ方式により伝送される信号の終端処理を行う。
【００３３】
また、伝送装置２００は、ＮＴ＿ＩＮＦ（Ｎｅｔｗｏｒｋ  Ｔｅｒｍｉｎａｔｉｏｎ＿Ｉｎｔｅｒｆａｃｅ）変換部２０２を具備している。このＮＴ＿ＩＮＦ変換部２０２は、ＮＴ（Ｎｅｔｗｏｒｋ）側フレームフォーマットの通信データと、Ｖ２４＿ＩＮＦ端末で用いられる各チャンネルデータと、を相互に変換する役目を果たしている。
【００３４】
具体的には、ＮＴ＿ＩＮＦ変換部２０２は、ＮＴ側フレームフォーマットの通信データから、Ｂ１チャネルのデータ（以下、Ｂ１データと記す。）とＢ２チャネルのデータ（以下、Ｂ２データと記す。）を抽出する。また、ＮＴ＿ＩＮＦ変換部２０２は、抽出したＢ１データ及びＢ２データを用いてＮＴ側フレームフォーマットを組み立てる。
【００３５】
そして、ＮＴ＿ＩＮＦ変換部２０２は、ＮＴ側フレームフォーマットの通信データから変換したＢ１データ及びＢ２データをＶ２４＿ＩＮＦ変換部２０４、ＮＴ＿ＡＬＭ情報付加部２０９及びＮＴ＿ＡＬＭ情報検出部２１４に送信する。
【００３６】
なお、Ｖ２４＿ＩＮＦ（Ｉｎｔｅｒｆａｃｅ）変換部２０４を示す。また、ＮＴ＿ＡＬＭ（Ｎｅｔｗｏｒｋ  Ｔｅｒｍｉｎａｔｉｏｎ＿Ａｌａｒｍ）情報付加部２０９を示す。また、ＮＴ＿ＡＬＭ（Ｎｅｔｗｏｒｋ  Ｔｅｒｍｉｎａｔｉｏｎ＿Ａｌａｒｍ）情報検出部２１４を示す。
【００３７】
また、ＮＴ＿ＩＮＦ変換部２０２は、ＬＴ＿ＡＬＭ（Ｌｉｎｅ  Ｔｅｒｍｉｎａｔｉｏｎ＿Ａｌａｒｍ）情報付加部２０８から受信したＢ１データ及びＢ２データを通信データに変換する。そして、ＮＴ＿ＩＮＦ変換部２０２は、変換した通信データをＮＴ＿ＩＮＦ２０１に送信する。
【００３８】
このように、ＮＴ＿ＩＮＦ変換部２０２は、ＮＴ側フレームフォーマットの通信データと、Ｖ２４＿ＩＮＦ端末で用いられるＢ１データ及びＢ２データと、を相互に変換する役目を果たしている。
【００３９】
なお、本実施形態では、図示しないが、伝送装置２００は、受信データセレクタ部を具備しても良い。この受信データセレクタ部は、ＮＴ＿ＩＮＦ変換部２０２にて通信データから変換したＢ１データとＢ２データの何れか一方を選択する。そして、この受信データセレクタ部は、選択したデータをＶ２４＿ＩＮＦ変換部２０４に送信する。
【００４０】
また、伝送装置２００は、送信データセレクタ部２０３を具備している。この送信データセレクタ部２０３は、Ｖ２４＿ＩＮＦ変換部２０４及びＬＴ＿ＩＮＦ変換部２０５によるデータの何れかを選択する役目を果たしている。
【００４１】
なお、ＬＴ＿ＩＮＦ（Ｌｉｎｅ  Ｔｅｒｍｉｎａｔｉｏｎ＿Ｉｎｔｅｒｆａｃｅ）変換部２０５を示す。
【００４２】
具体的には、送信データセレクタ部２０３は、Ｖ２４＿ＩＮＦ変換部２０４から受信したデータ（すなわち、Ｖ２４＿ＩＮＦ端末が送信したデータ）と、ＬＴ＿ＩＮＦ変換部２０５から受信したＢ１データ及びＢ２データと、の何れかを選択する。そして、送信データセレクタ部２０３は、選択したデータをＬＴ＿ＡＬＭ情報付加部２０８に送信する。
【００４３】
また、伝送装置２００は、Ｖ２４＿ＩＮＦ変換部２０４を具備している。このＶ２４＿ＩＮＦ変換部２０４は、ＮＴ＿ＩＮＦ変換部２０２から受信したＢ１データ及びＢ２データを、Ｖ２４＿ＩＮＦ端末で用いるデータに変換する。
【００４４】
また、Ｖ２４＿ＩＮＦ変換部２０４は、Ｖ２４＿ＩＮＦ端末から受信したデータをＢ１データ及びＢ２データに変換する。すなわち、Ｖ２４＿ＩＮＦ変換部２０４は、Ｂ１データ及びＢ２データと、Ｖ２４＿ＩＮＦ端末で用いられるデータと、を相互に変換する。
【００４５】
具体的には、Ｖ２４＿ＩＮＦ変換部２０４は、ＮＴ＿ＩＮＦ変換部２０２から受信したＢ１データ及びＢ２データのデータスピードを、Ｖ２４＿ＩＮＦ端末が必要とするデータスピードへ変換する。
【００４６】
また、Ｖ２４＿ＩＮＦ変換部２０４は、Ｖ２４＿ＩＮＦ端末から受信したデータのスピードを、ＮＴ＿ＩＮＦ変換部２０２が必要とするＢ１データ及びＢ２データのデータスピードへ変換する。
【００４７】
さらに、Ｖ２４＿ＩＮＦ変換部２０４は、ＣＳ（Ｃｌｅａｒ  ｔｏ  Ｓｅｎｄ）、ＣＤ（Ｃａｒｒｉｅｒ  Ｄｅｔｅｃｔ）など、Ｖ２４＿ＩＮＦ端末で使用される制御信号の制御を行う。また、Ｖ２４＿ＩＮＦ変換部２０４は、Ｖ２４＿ＩＮＦ端末から受信するＲＳ情報を送信データセレクタ部２０３に送信する。
【００４８】
また、伝送装置２００は、ＬＴ＿ＩＮＦ変換部２０５を具備している。このＬＴ＿ＩＮＦ変換部２０５は、ＮＴ＿ＡＬＭ情報付加部２０９から受信したＢ１データ及びＢ２データを、他の伝送装置に伝送するフォーマットのデータに変換する。
【００４９】
また、ＬＴ＿ＩＮＦ変換部２０５は、他の伝送装置から受信したフォーマットのデータをＢ１データ及びＢ２データに変換する。すなわち、ＬＴ＿ＩＮＦ変換部２０５は、他の伝送装置との間で伝送されるフォーマットのデータとＢ１データ又はＢ２データとを相互に変換する。
【００５０】
具体的には、ＬＴ＿ＩＮＦ変換部２０５は、Ｂ１データ及びＢ２データを用いてＬＴ側フレームフォーマットを組み立てる。また、ＬＴ＿ＩＮＦ変換部２０５は、ＬＴ側フレームフォーマットの通信データからＢ１データ及びＢ２データを抽出する。
【００５１】
ＬＴ＿ＩＮＦ変換部２０５は、ＮＴ＿ＩＮＦ変換部２０２から受信したＢ１データ及びＢ２データが変換された通信データをＬＴ＿ＩＮＦ２０７に送信する。また、ＬＴ＿ＩＮＦ変換部２０５は、ＬＴ側フレームフォーマットの通信データから変換されたＢ１データ及びＢ２データを送信データセレクタ部２０３、ＬＴ＿ＡＬＭ情報検出部２１０に送信する。
【００５２】
また、伝送装置２００は、Ｖ２４＿ＩＮＦ（Ｉｎｔｅｒｆａｃｅ）２０６を具備している。このＶ２４＿ＩＮＦ２０６は、本体である伝送装置２００とＶ２４＿ＩＮＦ端末とを接続する。具体的には、Ｖ２４＿ＩＮＦ２０６は、伝送装置２００とＶ２４＿ＩＮＦ端末とを接続するため、ＮＴ＿ＩＮＦ２０１が受信したデータをＶ２４＿ＩＮＦ端末が必要とする電圧レベルに変換する。
【００５３】
また、伝送装置２００は、ＬＴ＿ＩＮＦ（Ｌｉｎｅ  Ｔｅｒｍｉｎａｔｉｏｎ＿Ｉｎｔｅｒｆａｃｅ）２０７を具備している。このＬＴ＿ＩＮＦ２０７は、ＬＴ側フレームフォーマットでＴＣＭ方式により伝送される信号の終端処理を行う。なお、本実施形態では、本体である伝送装置２００におけるＬＴ＿ＩＮＦ２０７と、他の伝送装置におけるＮＴ＿ＩＮＦ２０１とが接続される。
【００５４】
そして、伝送装置２００におけるＬＴ＿ＩＮＦ２０７は、他の伝送装置におけるＮＴ＿ＩＮＦ２０１から伝送装置２００に送信される信号の終端処理を行い、受信した通信データを伝送装置２００のＬＴ＿ＩＮＦ変換部２０５に通知する。
【００５５】
本実施形態において、伝送装置２００は、ＬＴ＿ＡＬＭ情報付加部２０８を具備している。このＬＴ＿ＡＬＭ情報付加部２０８は、送信データセレクタ部２０３にて送信されたＢ１データ及びＢ２データに、アラーム情報及び装置ＮＯ情報を付加する役目を果たしている。
【００５６】
具体的には、ＬＴ＿ＡＬＭ情報付加部２０８は、送信データセレクタ部２０３にて送信されたＢ１データ及びＢ２データの予め決められたビット上にアラーム情報及び装置ＮＯ情報を割り当てる。そして、ＬＴ＿ＡＬＭ情報付加部２０８は、アラーム情報及び装置ＮＯ情報を割り当て、ＮＴ＿ＩＮＦ変換部２０２に通知する。
【００５７】
ここで、アラーム情報とは、後述するＳＤ回線又は構内回線アラーム検出部２１３にて、ＮＴ＿ＩＮＦ２０１に接続された回線の回線同期ずれを検出した際における情報である。また、装置ＮＯ情報とは、装置ＮＯ設定部２１１により設定される自装置を識別するための情報である。
【００５８】
また、伝送装置２００は、ＮＴ＿ＡＬＭ情報付加部２０９を具備している。このＮＴ＿ＡＬＭ情報付加部２０９は、ＮＴ＿ＩＮＦ変換部２０２にて送信されたＢ１データ及びＢ２データに、アラーム情報及び装置ＮＯ情報を付加する役目を果たしている。
【００５９】
具体的には、ＮＴ＿ＡＬＭ情報付加部２０９は、ＮＴ＿ＩＮＦ変換部２０２にて送信されたＢ１データ、Ｂ２データの予め決められたビット上にアラーム情報及び装置ＮＯ情報を割り付ける。
【００６０】
また、伝送装置２００は、ＬＴ＿ＡＬＭ（Ｌｉｎｅ  Ｔｅｒｍｉｎａｔｉｏｎ＿Ａｌａｒｍ）情報検出部２１０を具備している。このＬＴ＿ＡＬＭ情報検出部２１０は、ＬＴ＿ＩＮＦ変換部２０５にて送信される信号に含まれるＲＳ情報を検出する役目を果たしている。
【００６１】
具体的には、ＬＴ＿ＡＬＭ情報検出部２１０は、接続要求を示すＲＳ情報を送信した伝送装置を特定するための情報を回線アラーム表示部２１５に通知する。
【００６２】
また、伝送装置２００は、装置ＮＯ設定部２１１を具備している。この装置ＮＯ設定部２１１は、本体である伝送装置２００を識別する識別情報として、装置ＮＯ情報を設定する役目を果たしている。
【００６３】
また、伝送装置２００は、構内回線アラーム検出部２１２を具備している。この構内回線アラーム検出部２１２は、ＬＴ＿ＩＮＦ２０７に接続された回線の回線同期ずれを検出する役目を果たしている。そして、構内回線アラーム検出部２１２は、回線同期ずれを検出した場合には、ＬＴ＿ＡＬＭ情報付加部２０８及び回線アラーム表示部２１５に、回線アラーム情報を送信する。
【００６４】
また、伝送装置２００は、ＳＤ回線又は構内回線アラーム検出部２１３を具備している。このＳＤ回線又は構内回線アラーム検出部２１３は、ＮＴ＿ＩＮＦ２０１に接続された回線の回線同期ずれを検出する役目を果たしている。
【００６５】
そして、ＳＤ回線又は構内回線アラーム検出部２１３は、回線同期ずれを検出した場合には、ＮＴ＿ＡＬＭ情報付加部２０９及び回線アラーム表示部２１５に、回線アラーム情報を送信する。
【００６６】
また、伝送装置２００は、ＮＴ＿ＡＬＭ情報検出部２１４を具備している。このＮＴ＿ＡＬＭ情報検出部２１４は、ＮＴ＿ＩＮＦ変換部２０２にて送信されたＢ１データ又はＢ２データに、アラーム情報及び装置ＮＯ情報を検出する役目を果たしている。そして、ＮＴ＿ＡＬＭ情報検出部２１４は、アラーム情報及び装置ＮＯ情報を検出した場合には、回線アラーム表示部２１５に通知している。
【００６７】
また、伝送装置２００は、回線アラーム表示部２１５を具備している。この回線アラーム表示部２１５は、主に、構内回線アラーム検出部２１２にて通知された回線アラーム情報を表示する役目を果たしている。
【００６８】
また、回線アラーム表示部２１５は、ＬＴ＿ＡＬＭ情報検出部２１０にて通知された装置ＮＯ情報を表示する役目を果たしている。
【００６９】
また、回線アラーム表示部２１５は、ＳＤ回線又は構内回線アラーム検出部２１３にて通知された回線アラーム情報を表示する役目を果たしている。
【００７０】
また、回線アラーム表示部２１５は、ＮＴ＿ＡＬＭ情報検出部２１４にて通知された装置ＮＯ情報を表示する役目を果たしている。
【００７１】
次に、図３を用いて、ＲＳ情報を送信データに付加した例について説明する。図３は、本発明の第２の実施形態に係るＲＳ情報を送信データに付加した例を示す説明図である。
【００７２】
図３に例示されるように、フレーム２２０には、フレームワード２２１と、ＣＬチャンネル２２２と、スロット２２３と、が含まれている。このフレーム２２０は、例えば、加入者回線終端装置から線路終端回路に信号を送出する際のフレームである。
【００７３】
フレームワード２２１は、「１００００００」となっており、１フレームごとに「１」と「０」を繰り返すようになっている。また、ＣＬチャンネル２２２には、各種の制御信号やループバック信号が含まれている。
【００７４】
スロット２２３には、「スロット１」から「スロット２０」の合計２０個のスロットが含まれている。１つのスロットの中身は、図示のように、１８ビットから構成され、Ｂ１チャンネルとして８ビット、Ｂ２チャンネルとして８ビット、Ｄチャンネルとして、２ビットが定義されている。
【００７５】
このように、スロット２２３では、２つのＢチャンネルと、一つのＤチャンネルを用いて、Ｄチャンネルを使って、使用するＢチャンネルを決定するために、定義づけされている。
【００７６】
本実施形態では、１８ビットのうち、Ｂ１チャンネルとして、１ビット目をアラーム情報、２ビット目を装置ＮＯ情報、３ビット目をＲＳ情報、４ビット目から８ビット目を端末データとして割り当てている。また、Ｄチャンネルが、９ビット目に割り当てられている。
【００７７】
また、Ｂ２チャンネルとして、１ビット目をアラーム情報、２ビット目を装置ＮＯ情報、３ビット目をＲＳ情報、４ビット目から８ビット目を端末データとして割り当てている。また、Ｄチャンネルが、９ビット目に割り当てられている。
【００７８】
次に、図４及び図５を用いて、送信データセレクタ部２０３について説明する。図４は、送信データセレクタ部２０３の第１の状態を示す説明図である。また、図５は、送信データセレクタ部２０３の第２の状態を示す説明図である。
【００７９】
図４及び図５に例示されるように、送信データセレクタ部２０３は、Ｖ２４＿ＩＮＦ変換部２０４が変換したＶ２４＿ＩＮＦ端末からのデータを受信する端子２３１を具備している。また、送信データセレクタ部２０３は、ＬＴ＿ＩＮＦ変換部２０５が変換したデータを受信する端子２３２を具備している。
【００８０】
そして、送信データセレクタ部２０３は、これら端子２３１及び端子２３２のいずれか一方に択一的に接続する端子２３３を具備している。この端子２３３の他方は、ＮＴ＿ＩＮＦ変換部２０２に接続される。
【００８１】
ここで、送信データセレクタ部２０３には、送信データセレクタの設定として、「Ｖ２４＿ＩＮＦ変換部２０４からのデータを選択」と、「ＬＴ＿ＩＮＦ変換部２０５からのデータを選択」と、の２種類の中から設定される。
【００８２】
そして、送信データセレクタ部２０３は、「Ｖ２４＿ＩＮＦ変換部２０４からのデータを選択」が設定されている場合には、端子２３３に端子２３１を接続している。
【００８３】
これに対し、送信データセレクタ部２０３は、「ＬＴ＿ＩＮＦ変換部２０５からのデータを選択」が設定されている場合には、端子２３３に端子２３２を接続している。
【００８４】
具体的には、送信データセレクタ部２０３は、Ｖ２４＿ＩＮＦ変換部２０４からのデータに含まれるＲＳ情報と、ＬＴ＿ＩＮＦ変換部２０５からのデータに含まれるＲＳ情報と、の何れかが「オン」を示しているか検出する。そして、送信データセレクタ部２０３は、ＲＳ情報が「オン」になっている側のデータを選択し、ＮＴ＿ＩＮＦ変換部２０２に送信する。
【００８５】
一例を示すと、図４に例示されるように、Ｖ２４＿ＩＮＦ変換部２０４から「オン（ＯＮ）」を示すＲＳ情報が送信され、ＬＴ＿ＩＮＦ変換部２０５から「オフ（ＯＦＦ）」を示すＲＳ情報が送信される。この場合、送信データセレクタ部２０３は、Ｖ２４＿ＩＮＦ変換部２０４からの端末データを選択して出力する。
【００８６】
これに対し、図５に例示されるように、Ｖ２４＿ＩＮＦ変換部２０４から「オフ（ＯＦＦ）」を示すＲＳ情報が送信され、ＬＴ＿ＩＮＦ変換部２０５から「オン（ＯＮ）」を示すＲＳ情報が送信される。この場合、送信データセレクタ部２０３は、ＬＴ＿ＩＮＦ変換部２０５からの端末データを選択して出力する。
【００８７】
このように、送信データセレクタ部２０３では、接続要求信号を出力するＶ２４＿ＩＮＦ端末から送信されるデータが選択されることになる。
【００８８】
次に、図６を用いて、本実施形態の伝送装置２００を用いた伝送システムについて説明する。図６は、伝送装置２００を用いて構成される伝送システムの説明図である。
【００８９】
図６に例示されるように、本実施形態の伝送システムは、ＴＣＭ方式を終端する複数の伝送装置を用いてマルチポイント接続可能なものである。この伝送システムは、伝送装置２００と同一の構成である複数の伝送装置（伝送装置２００−１乃至伝送装置２００−４）を具備している。
【００９０】
伝送装置２００と伝送装置２００−１とは、ＳＤ回線を介して接続されている。さらに、伝送装置２００のＬＴ＿ＩＮＦ２０７は、伝送装置２００−２のＮＴ＿ＩＮＦ２０１と構内回線を介して接続されている。なお、伝送装置２００−２と伝送装置２００−３、および、伝送装置２００−３と伝送装置２００−４も、同様の条件で構内回線を介して接続されている。
【００９１】
センタ局側のＶ２４＿ＩＮＦ端末Ａは、伝送装置２００−１のＶ２４＿ＩＮＦ２０６に接続されている。支局エリア側のＶ２４＿ＩＮＦ端末Ｂは、伝送装置２００−１に接続されたセンタ局側のＶ２４＿ＩＮＦ端末Ａと通信するため、伝送装置２００に接続されている。
【００９２】
同様に、支局エリア側のＶ２４＿ＩＮＦ端末Ｃ乃至Ｖ２４＿ＩＮＦ端末Ｅは、伝送装置２００−１に接続されたセンタ局側のＶ２４＿ＩＮＦ端末Ａと通信するため、夫々、伝送装置２００−２乃至伝送装置２００−４に接続されている。
【００９３】
この伝送システムにおいて、Ｖ２４＿ＩＮＦ端末Ａは、支局エリア側のＶ２４＿ＩＮＦ端末Ｂ乃至Ｖ２４＿ＩＮＦ端末Ｅにデータ送信するために、ＲＳ情報に「オン」を設定する。これにより、Ｖ２４＿ＩＮＦ端末Ａは、伝送装置２００−１からＳＤ回線を経由して伝送装置２００にデータを送信可能となる。
【００９４】
伝送装置２００は、伝送装置２００−１から受信したデータをＶ２４＿ＩＮＦ変換部２０４に送信する。これにより、Ｖ２４＿ＩＮＦ２０６に接続されているＶ２４＿ＩＮＦ端末Ｂは、Ｖ２４＿ＩＮＦ端末Ａのデータを受信する。
【００９５】
また、伝送装置２００は、伝送装置２００−１から受信したデータをＬＴ＿ＩＮＦ変換部２０５に送信する。これにより、ＬＴ＿ＩＮＦ２０７に接続された伝送装置２００−２は、Ｖ２４＿ＩＮＦ端末Ａのデータを受信する。
【００９６】
同様に、伝送装置２００−２乃至伝送装置２００−４は、受信したデータをＶ２４＿ＩＮＦ変換部２０４及びＬＴ＿ＩＮＦ変換部２０５に送信する。これにより、Ｖ２４＿ＩＮＦ端末Ｃ乃至Ｖ２４＿ＩＮＦ端末Ｅも、Ｖ２４＿ＩＮＦ端末Ａのデータを受信する。
【００９７】
また、本実施形態では、Ｖ２４＿ＩＮＦ端末Ａが、Ｖ２４＿ＩＮＦ端末Ｅに対して、Ｖ２４＿ＩＮＦ端末Ａへの返信要求を行っているものとする。上述するように、Ｖ２４＿ＩＮＦ端末Ａから送信されるＶ２４＿ＩＮＦ端末Ｅへの返信要求のデータは、支局エリア側の全てＶ２４＿ＩＮＦ端末Ｂ乃至Ｖ２４＿ＩＮＦ端末Ｅが受信する。
【００９８】
このとき、各伝送装置の送信データセレクタ部２０３には、送信データセレクタの設定として、「Ｖ２４＿ＩＮＦ変換部２０４からのデータを選択」と「ＬＴ＿ＩＮＦ変換部２０５からのデータを選択」と、の２種類が設定されている。
【００９９】
そして、Ｖ２４＿ＩＮＦ端末Ｅ以外のＶ２４＿ＩＮＦ端末Ｂ乃至Ｖ２４＿ＩＮＦ端末Ｄは、自身の端末がＶ２４＿ＩＮＦ端末Ａの返信要求に応答する必要がないことを認識するので、データの返信を行わない。すなわち、Ｖ２４＿ＩＮＦ端末Ｂ乃至Ｖ２４＿ＩＮＦ端末ＤのＲＳ情報には、「オン」が設定されないことになる。
【０１００】
これにより、伝送装置２００−４以外の伝送装置２００、伝送装置２００−２及び伝送装置２００−３では、送信データセレクタとして、「ＬＴ＿ＩＮＦ変換部２０５からのデータを選択」が設定されている。
【０１０１】
一方、Ｖ２４＿ＩＮＦ端末Ｅは、自身の端末がＶ２４＿ＩＮＦ端末Ａの返信要求に応答する必要があることを認識するので、データの返信を行う。すなわち、Ｖ２４＿ＩＮＦ端末ＥのＲＳ情報には、「オン」が設定される。
【０１０２】
これにより、伝送装置２００−４では、送信データセレクタとして、「Ｖ２４＿ＩＮＦ変換部２０４からのデータを選択」が設定されている。
【０１０３】
その結果、Ｖ２４＿ＩＮＦ端末Ｅのデータは、伝送装置２００−４、伝送装置２００−３、伝送装置２００−２、伝送装置２００、ＳＤ回線、伝送装置２００−１を経由して、Ｖ２４＿ＩＮＦ端末Ａに送信されることになる。
【０１０４】
本実施形態では、Ｖ２４＿ＩＮＦ端末Ａが、Ｖ２４＿ＩＮＦ端末Ｅに対してＶ２４＿ＩＮＦ端末Ａへの返信要求を行っている場合について説明した。同様の方法を用いることにより、センタ局側のＶ２４＿ＩＮＦ端末Ａは、支局エリア側に接続された全ての端末と通信を行うことができる。すなわち、ＴＣＭ方式を終端する本実施形態の伝送装置を用いることにより、ＳＤ回線でのマルチポイント接続が可能となる。
【０１０５】
以上のような構成により、新たな装置を導入することなく、ＴＣＭ伝送方式によるデジタル回線を１回線使用してマルチポイント接続を可能とするシステムを実現できる。
【０１０６】
これにより、本実施形態では、マルチポイント接続が可能な伝送システムを容易に、かつ安価な費用で構築することが可能になる。
【０１０７】
ここで、図７を用いて、本実施形態の伝送システムにおける回線に障害が発生した場合における一例を説明する。図７は、伝送装置２００を用いて構成される伝送システムにおける第１の状態の説明図である。
【０１０８】
図７に例示されるように、伝送装置２００−２と伝送装置２００−３との構内回線が切れた場合、伝送装置２００−２の構内回線アラーム検出部２１２は、回線アラーム情報を検出する。
【０１０９】
そして、伝送装置２００−２の構内回線アラーム検出部２１２は、検出した回線アラーム情報をＬＴ＿ＡＬＭ情報付加部２０８及び回線アラーム表示部２１５に通知する。
【０１１０】
このとき、ＬＴ＿ＡＬＭ情報付加部２０８は、回線アラーム情報及び装置ＮＯ情報を付加する。そして、ＮＴ＿ＩＮＦ２０１は、ＬＴ＿ＡＬＭ情報付加部２０８により付加された回線アラーム情報及び装置ＮＯ情報を伝送装置２００のＬＴ＿ＩＮＦ２０７に送信する。
【０１１１】
伝送装置２００では、ＬＴ＿ＩＮＦ２０７を介して伝送装置２００−２からの回線アラーム情報及び装置ＮＯ情報を受信する。そして、伝送装置２００では、ＬＴ＿ＡＬＭ情報検出部２１０にて伝送装置２００−２からの回線アラーム情報及び装置ＮＯ情報を検出する。
【０１１２】
また、伝送装置２００のＬＴ＿ＡＬＭ情報検出部２１０は、検出した回線アラーム情報及び装置ＮＯ情報を回線アラーム表示部２１５に通知する。これにより、伝送装置２００でも、伝送装置２００−２と伝送装置２００−３との構内回線が切れている旨を把握することが可能になる。
【０１１３】
また、伝送装置２００は、構内回線アラーム検出部２１２にて回線アラーム情報を検出していないため、ＬＴ＿ＡＬＭ情報付加部２０８にて回線アラーム情報及び装置ＮＯ情報を付加しない。
【０１１４】
そして、伝送装置２００は、伝送装置２００−２からの回線アラーム情報及び装置ＮＯ情報を、そのまま、ＮＴ＿ＩＮＦ２０１を介して伝送装置２００−１に送信する。これにより、伝送装置２００−１でも、伝送装置２００−２と伝送装置２００−３との構内回線が切れている旨を把握することが可能になる。
【０１１５】
一方、伝送装置２００−３は、ＳＤ回線又は構内回線アラーム検出部２１３にて回線アラーム情報を検出する。そして、伝送装置２００−３のＳＤ回線又は構内回線アラーム検出部２１３は、検出した回線アラーム情報をＮＴ＿ＡＬＭ情報付加部２０９及び回線アラーム表示部２１５に通知する。
【０１１６】
これにより、伝送装置２００−４でも、伝送装置２００−２と伝送装置２００−３との構内回線が切れている旨を把握することが可能になる。
【０１１７】
なお、伝送装置２００−４は、ＳＤ回線又は構内回線アラーム検出部２１３にて回線アラーム情報を検出していないため、ＮＴ＿ＡＬＭ情報付加部２０９にて回線アラーム情報及び装置ＮＯ情報を付加しない。そして、伝送装置２００−４は、伝送装置２００−３からの回線アラーム情報及び装置ＮＯ情報を、そのまま、ＬＴ＿ＩＮＦ２０７を介して、例えば、図示しない他の伝送装置に送信可能である。
【０１１８】
これにより、他の伝送装置でも、伝送装置２００−２と伝送装置２００−３との構内回線が切れている旨を把握することが可能になる。
【０１１９】
このように、本実施形態では、伝送装置２００−２と伝送装置２００−３との構内回線が切れている場合において、これら伝送装置２００−２と伝送装置２００−３とに直に接続されていない他の伝送装置でも、その旨を把握することが可能になる。
【０１２０】
よって、本実施形態では、回線に障害が発生した箇所を迅速に把握することが可能になるため、回線の復旧に要する時間を軽減することができる。
【０１２１】
また、図８を用いて、本実施形態の伝送システムにおける回線に障害が発生した場合における他例を説明する。図８は、伝送装置２００を用いて構成される伝送システムにおける第２の状態の説明図である。
【０１２２】
図８に例示されるように、伝送装置２００−１と伝送装置２００とが切れた場合、すなわち、ＳＤ回線の回線障害が発生した場合、伝送装置２００のＳＤ回線又は構内回線アラーム検出部２１３は、回線アラーム情報を検出する。
【０１２３】
そして、伝送装置２００のＳＤ回線又は構内回線アラーム検出部２１３は、検出した回線アラーム情報をＮＴ＿ＡＬＭ情報付加部２０９及び回線アラーム表示部２１５に通知する。
【０１２４】
伝送装置２００のＮＴ＿ＡＬＭ情報付加部２０９は、回線アラーム情報が通知された場合には、回線アラーム情報及び装置ＮＯ情報を付加する。そして、ＮＴ＿ＡＬＭ情報付加部２０９は、ＬＴ＿ＩＮＦ変換部２０５、ＬＴ＿ＩＮＦ２０７を介して、回線アラーム情報及び装置ＮＯ情報を伝送装置２００−２に送信する。
【０１２５】
伝送装置２００−２では、ＮＴ＿ＩＮＦ２０１を介して伝送装置２００から回線アラーム情報及び装置ＮＯ情報を受信する。そして、伝送装置２００では、ＮＴ＿ＡＬＭ情報検出部２１４にて回線アラーム情報及び装置ＮＯ情報を検出する。
【０１２６】
また、伝送装置２００−２では、ＮＴ＿ＡＬＭ情報検出部２１４にて検出した回線アラーム情報及び装置ＮＯ情報を回線アラーム表示部２１５に通知する。
【０１２７】
これにより、伝送装置２００−２でも、伝送装置２００と伝送装置２００−１とのＳＤ回線が切れている旨を把握することが可能になる。
【０１２８】
以上のように、本実施形態では、このように、本実施形態では、伝送装置２００と伝送装置２００−１とＳＤ回線が切れている場合において、これら伝送装置２００と伝送装置２００−１とに直に接続されていない他の伝送装置でも、その旨を把握することが可能になる。
【０１２９】
よって、本実施形態では、回線に障害が発生した箇所を迅速に把握することが可能になるため、回線の復旧に要する時間を軽減することができる。
【０１３０】
（第３の実施形態）
図９を用いて、本発明の他の実施形態について説明する。図９は、本発明の他の実施形態（第３の実施形態）に係る伝送装置のブロック図である。
【０１３１】
なお、本実施形態では、上述の第２の実施形態に対し、クランプ通知部２１６を具備した点が異なり、他の点は同質である。したがって、上述の第２の実施形態に同質する部分については、同一の符号を付して、その説明を省略する。
【０１３２】
図９に例示されるように、本実施形態の伝送装置２００は、上述したように、クランプ通知部２１６を具備している。このクランプ通知部２１６は、ＳＤ回線又は構内回線アラーム検出部２１３、ＮＴ＿ＡＬＭ情報検出部２１４及びＶ２４＿ＩＮＦ変換部２０４に接続している。
【０１３３】
具体的には、クランプ通知部２１６は、ＳＤ回線又は構内回線アラーム検出部２１３にて回線アラーム情報及び装置ＮＯ情報を受信している。また、クランプ通知部２１６は、ＮＴ＿ＡＬＭ情報検出部２１４にて検出されたＲＳ情報を受信している。
【０１３４】
そして、クランプ通知部２１６は、受信した回線アラーム情報、装置ＮＯ情報及びＲＳ情報をＶ２４＿ＩＮＦ変換部２０４に送信する。
【０１３５】
これにより、Ｖ２４＿ＩＮＦ変換部２０４は、クランプ通知部２１６にて回線アラーム情報、装置ＮＯ情報及びＲＳ情報を受信すると、Ｖ２４＿ＩＮＦ端末に対し、ＣＤをＯＦＦにし、受信データが無効であることを通知している。
【０１３６】
このように、本実施形態では、Ｖ２４＿ＩＮＦ端末に対し、受信データが無効であることを通知しているため、Ｖ２４＿ＩＮＦ端末が不要なデータを誤って受信することを抑制することができる。
【符号の説明】
【０１３７】
２０１    ＮＴ＿ＩＮＦ
２０２    ＮＴ＿ＩＮＦ変換部
２０３    送信データセレクタ部
２０４    Ｖ２４＿ＩＮＦ変換部
２０５    ＬＴ＿ＩＮＦ変換部
２０６    Ｖ２４＿ＩＮＦ
２０７    ＬＴ＿ＩＮＦ
２０８    ＬＴ＿ＡＬＭ情報付加部
２０９    ＮＴ＿ＡＬＭ情報付加部
２１０    ＬＴ＿ＡＬＭ情報検出部
２１１    装置ＮＯ設定部
２１２    構内回線アラーム検出部
２１３    ＳＤ回線又は構内回線アラーム検出部
２１４    ＮＴ＿ＡＬＭ情報検出部
２１５    回線アラーム表示部
【図１】
2015186159.tif 000003
【図２】
2015186159.tif 000004
【図３】
2015186159.tif 000005
【図４】
2015186159.tif 000006
【図５】
2015186159.tif 000007
【図６】
2015186159.tif 000008
【図７】
2015186159.tif 000009
【図８】
2015186159.tif 000010
【図９】
2015186159.tif 000011
【図１０】
2015186159.tif 000012